(57)【要約】【課題】木目板の平面のみでなく、木口面にも天然板の木目模様を印刷する。平面模様と木口模様との境界を綺麗に仕上げる。【解決手段】木目板の製造方法は、ＭＤＦ１を所定の外形に切断し、平面１Ａと木口との境界を所定の曲率半径で面取りする裁断工程と、加工されたＭＤＦ１の平面１Ａと木口面１Ｂに下地塗料を塗布する下塗工程と、下地塗料の表面に木目模様を印刷するプリント工程と、木目模様が印刷されたＭＤＦ１の表面に透明ないし半透明の仕上げ塗料を塗布する上塗工程とからなる。プリント工程は、ＭＤＦ１の平面１Ａに天然木の平面模様を印刷する平面プリント工程と、ＭＤＦ１の木口面１Ｂに天然木の木口模様を印刷する木口プリント工程とからなる。木口プリント工程においては、表面弾性の転写ローラ４の表面にＭＤＦ１の木口を押圧して、転写ローラ４を木口に沿って回転させて、ＭＤＦ１の木口に天然木の木口模様を転写する。【選択図】図４
2007111859.tif 000002
【特許請求の範囲】
【請求項１】
所定の厚さのＭＤＦ(1)を所定の外形に切断すると共に、平面(1A)と木口との境界を所定の曲率半径で湾曲するように面取りする裁断工程と、
裁断工程で加工されたＭＤＦ(1)の平面(1A)と木口面(1B)に下地塗料を塗布する下塗工程と、
下地塗料の表面に木目模様を印刷するプリント工程と、
プリント工程で木目模様が印刷されたＭＤＦ(1)の表面に透明ないし半透明の仕上げ塗料を塗布する上塗工程とからなる木目板の製造方法であって、
プリント工程が、ＭＤＦ(1)の平面(1A)に天然木の平面模様を印刷する平面プリント工程と、ＭＤＦ(1)の木口面(1B)に天然木の木口模様を印刷する木口プリント工程とからなり、
木口プリント工程においては、表面弾性の転写ローラ(4)の表面にＭＤＦ(1)の木口を押し付け、転写ローラをＭＤＦ(1)の木口に押圧する状態で、転写ローラ(4)を木口に沿って回転させて、ＭＤＦ(1)の木口に天然木の木口模様を転写する木目板の製造方法。
【請求項２】
裁断工程において、ＭＤＦ(1)の木口面(1B)を、中央凸の湾曲面に加工する請求項１に記載される木目板の製造方法。
【請求項３】
木口プリント工程において、ＭＤＦ(1)と同じ外形の天然板を製作し、この天然板の平面模様と木口模様をＭＤＦ(1)の表面に印刷する請求項１に記載される木目板の製造方法。
【請求項４】
木口プリント工程において、ＭＤＦ(1)の表面の一部にマスキングテープを付着して、木口模様を印刷する請求項１に記載される木目板の製造方法。
【請求項５】
下地塗料を塗布しているＭＤＦ(1)の平面(1A)を局部的に押圧して、下地塗料とＭＤＦ(1)に木目の凹凸模様を設けるエンボス工程を設け、エンボス工程で凹凸模様を設けた表面に平面模様と木口模様を印刷する請求項１に記載される木目板の製造方法。  
【請求項６】
平面模様の印刷されたＭＤＦ(1)の平面(1A)を局部的に押圧して凹凸模様を設けるエンボス工程を設け、エンボス工程で凹凸模様を設けたＭＤＦ(1)を上塗工程で仕上げ塗料を塗布する請求項１に記載される木目板の製造方法。
【発明の詳細な説明】
【技術分野】
【０００１】
本発明は、たとえば机の天板、机の上に固定される本棚の側板、ベッドの装飾板等、表面に天然板の木目模様を印刷している木目板の製造方法に関する。
【背景技術】
【０００２】
合板の表面に木目模様を転写して木目板を製造する方法は開発されている。（特許文献１参照）また、合板の表面に木目模様を印刷している表面シートを接着して表面装飾している木目板も開発されている。
【特許文献１】特開平６−３１２４０７号公報
【発明の開示】
【発明が解決しようとする課題】
【０００３】
合板の表面に木目模様を転写している木目板は、合板の平面に木目模様を転写する。この木目板は、平面に天然板の木目模様を転写できるが、木口には天然板の木口模様を印刷できない。このため、木口には天然板に近似する色の塗料を塗布している。この木目板は、天然板と同じように平面と木口面とに木目模様が印刷されず、自然の天然板でない木目模様を印刷した板であることが明らかになる。
【０００４】
本発明は、このような欠点を解決することを目的に開発されたものである。本発明の重要な目的は、木目板の平面のみでなく、木口面にも天然板の木目模様を印刷でき、さらに、平面模様と木口模様との境界を綺麗に仕上げることができる木目板の製造方法を提供することにある。
【課題を解決するための手段】
【０００５】
本発明の木目板の製造方法は、前述の目的を達成するために以下の構成を備える。木目板の製造方法は、所定の厚さのＭＤＦ１を所定の外形に切断すると共に、平面１Ａと木口との境界を所定の曲率半径で湾曲するように面取りする裁断工程と、裁断工程で加工されたＭＤＦ１の平面１Ａと木口面１Ｂに下地塗料を塗布する下塗工程と、下地塗料の表面に木目模様を印刷するプリント工程と、プリント工程で木目模様が印刷されたＭＤＦ１の表面に透明ないし半透明の仕上げ塗料を塗布する上塗工程とからなる。プリント工程は、ＭＤＦ１の平面１Ａに天然木の平面模様を印刷する平面プリント工程と、ＭＤＦ１の木口面１Ｂに天然木の木口模様を印刷する木口プリント工程とからなる。木口プリント工程においては、表面弾性の転写ローラ４の表面にＭＤＦ１の木口を押し付け、転写ローラ４をＭＤＦ１の木口に押圧する状態で、転写ローラ４を木口に沿って回転させて、ＭＤＦ１の木口に天然木の木口模様を転写する。
【０００６】
本発明の木目板の製造方法は、裁断工程において、ＭＤＦ１の木口面１Ｂを、中央凸の湾曲面に加工することができる。
【０００７】
本発明の木目板の製造方法は、木口プリント工程において、ＭＤＦ１と同じ外形の天然板を製作し、この天然板の平面模様と木口模様をＭＤＦ１の表面に印刷することができる。
【０００８】
本発明の木目板の製造方法は、木口プリント工程において、ＭＤＦ１の表面の一部にマスキングテープを付着して、木口模様を印刷することができる。
【０００９】
本発明の木目板の製造方法は、下地塗料を塗布しているＭＤＦ１の平面１Ａを局部的に押圧して、下地塗料とＭＤＦ１に木目の凹凸模様を設けるエンボス工程を設け、エンボス工程で凹凸模様を設けた表面に平面模様と木口模様を印刷することができる。
【００１０】
本発明の木目板の製造方法は、平面模様の印刷されたＭＤＦ１の平面を局部的に押圧して凹凸模様を設けるエンボス工程を設け、エンボス工程で凹凸模様を設けたＭＤＦ１を上塗工程で仕上げ塗料を塗布することができる。
【発明の効果】
【００１１】
本発明の木目板の製造方法は、木目板の平面のみでなく、木口面にも天然板の木目模様を印刷でき、さらに、平面模様と木口模様との境界を綺麗に仕上げることができる。それは、本発明の木目板の製造方法が、裁断工程において、ＭＤＦの平面と木口との境界を所定の曲率半径で面取りすると共に、下塗工程で下地塗料が塗布された平面と木口面の表面にプリント工程で木目模様を印刷しており、このプリント工程は、ＭＤＦの平面に天然木の平面模様を印刷する平面プリント工程と、ＭＤＦの木口面に天然木の木口模様を印刷する木口プリント工程とからなり、さらに、木口プリント工程においては、表面弾性の転写ローラの表面にＭＤＦの木口を押し付けて押圧する状態で、転写ローラを木口に沿って回転させて、ＭＤＦの木口に天然木の木口模様を転写しているからである。
【発明を実施するための最良の形態】
【００１２】
以下、本発明の実施例を図面に基づいて説明する。ただし、以下に示す実施例は、本発明の技術思想を具体化するための木目板の製造方法を例示するものであって、本発明は木目板の製造方法を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
本発明の木目板の製造方法は、ＭＤＦの平面のみに木目模様を印刷して木目模様を設けるのではない。ＭＤＦの平面のみでなく、その木口面にも木目模様を印刷する。さらに、ＭＤＦの木口面には、天然板の板目や正目等の平面状の木目模様を設けるのではなく、天然板の木口面と同じ木口模様を印刷する。ＭＤＦは、平面に平面模様を、木口面には木口模様を綺麗に印刷するために、下塗工程において、ＭＤＦの表面に下地塗料を塗布する。下地塗料はＭＤＦの平面と木口面の表面を平滑にする。さらに、ＭＤＦの平面と木口面の表面を、木目模様の印刷に最適なベースカラーに着色する。下塗工程は、ＭＤＦの表面にシーラーを塗布し、このシーラーをＭＤＦの表面に含浸させる第１下塗工程と、シーラーの表面に紫外線硬化塗料を塗布する第２下塗工程と、さらに紫外線硬化塗料の表面にベースカラー塗料を塗布してＭＤＦをベースカラーに着色する第３下塗工程とからなる。
【００１５】
第１下塗工程は、下地塗料をＭＤＦに剥離しないように付着させる。この工程に使用されるシーラーは、ＭＤＦの平面と木口面の表面に含浸されて、下地塗料をしっかりとＭＤＦに付着する。シーラーは、粘度が低いポリエステル系、あるいはウレタン系等の液体塗料で、ＭＤＦの微細な空隙に浸透してＭＤＦにしっかりと付着される。
【００１６】
第２下塗工程の紫外線硬化塗料は、ウレタン系の塗料で紫外線を照射して速やかに硬化される。この紫外線硬化塗料は下地塗料を強靭な層にする。この紫外線硬化塗料は着色されず、次の第３下塗工程で塗布されるベースカラー塗料をシーラー層にしっかりと接合する。第２下塗工程で塗布された紫外線硬化塗料は、照射される紫外線で硬化された後、表面をブラシサンダーで研磨する。
【００１７】
第３下塗工程のベースカラー塗料は、木目模様のベースカラーに着色するもので、ＭＤＦの表面を、プリント工程で印刷される木目の夏目色よりも白色に近い色に着色する。ベースカラー塗料は、下地をほぼ完全に隠蔽して、ＭＤＦの表面全面を均一でむらのない色に着色する。さらに、下塗工程は、第３下塗工程でベースカラー塗料を塗布し、ベースカラー塗料を硬化させた後、さらにその表面に紫外線硬化塗料を塗布する。紫外線硬化塗料を紫外線で硬化させた後、サンダーで全面を均一に研磨する。
【００１８】
下地塗料が塗布されたＭＤＦは、次のプリント工程において、平面と木口面の表面に木目模様を印刷する。このプリント工程において、ＭＤＦは下地塗料の上に木目模様を印刷する。プリント工程は、ＭＤＦの平面に天然木の平面模様を印刷する平面プリント工程と、ＭＤＦ外周の木口面に天然木の木口模様を印刷する木口プリント工程とからなる。
【００１９】
プリント工程において、ＭＤＦは、図１ないし図３に示す転写装置で平面印刷される。図１は平面プリント工程に使用される転写装置、図２と図３は木口プリント工程に使用される転写装置である。
【００２０】
これ等の図に示す転写装置は、表面に木目模様を構成する凹部を設けており、かつベアリングを介して回転できるように配設されてなる刻版ローラ３と、この刻版ローラ３の凹部にインクを供給するインク供給部２と、刻版ローラ３の凹部に供給されたインクが転写される表面を弾性変形できる表面弾性部９としている転写ローラ４とを備える。さらに、図１の転写装置は、ＭＤＦ１を移送するコンベア５を備える。
【００２１】
転写ローラ４の表面弾性部９に、下地処理されたＭＤＦ１の平面１Ａ又は木口面１Ｂが押圧され、この状態で転写ローラ４とＭＤＦ１をスリップさせないで、転写ローラ４を回転させて、平面模様や木口模様が印刷される。平面プリント工程においては、コンベア５の移送速度と転写ローラ４の周速を等しくして、ＭＤＦ１をコンベア５で移送しながら、転写ローラ４で平面模様を転写する。平面プリント工程において、ＭＤＦ１は、平面１Ａと面取り部１Ｃの一部に平面模様が印刷される。ＭＤＦ１は、平面１Ａと木口面１Ｂとの境界に所定の曲率半径の面取り部１Ｃを設けている。面取り部１Ｃは、平面１Ａとの境界に接近するほど、平面１Ａと平行となるので、面取り部１Ｃの平面１Ａとの境界部分には、転写ローラ４の表面弾性部９で平面模様が印刷される。転写ローラ４が平面模様を印刷する領域は、図４の破線で示している。面取り部１Ｃに平面模様が印刷される幅は、ＭＤＦ１が転写ローラ４に押圧される圧力で変化する。ＭＤＦを強く転写ローラに押圧すると、面取り部に平面模様が印刷される幅は広くなる。反対にＭＤＦを転写ローラに押圧する圧力を弱くすると、面取り部に平面模様が印刷される幅は狭くなる。平面プリント工程において、好ましくは、面取り部１Ｃは、全幅の２０％〜８０％、好ましくは３０％〜７０％に平面模様を印刷するように、ＭＤＦの転写ローラに対する押圧力が調整される。
【００２２】
木口プリント工程においては、ＭＤＦ１を作業者が手で持って、あるいはロボットアームでつかんで、ＭＤＦ１の木口面１Ｂを転写ローラ４の表面弾性部９に押圧し、木口面１Ｂが転写ローラ４に対してスリップしないように、木口面１Ｂを転写ローラ４の表面に沿って移動させて、木口面１Ｂに木口模様を印刷する。このとき、転写ローラ４は、ＭＤＦ１に押圧されて弾性変形し、木口面１Ｂとその両側の面取り部１Ｃとを転写ローラ４の表面弾性部９に密着させて、転写ローラ４の表面に付着しているインクを木口面１Ｂと面取り部１Ｃとに転写する。
【００２３】
ＭＤＦ１を転写ローラ４に押圧する圧力は、転写ローラ４の表面弾性部９の弾性変形量を変化させる。ＭＤＦ１の押圧力が強くなると、表面弾性部９の弾性変形は大きく、押圧力を弱くすると弾性変形は小さくなる。表面弾性部９の弾性変形量は、面取り部１Ｃに印刷される木目模様の幅を特定する。ＭＤＦ１が強く転写ローラ４に押圧されて、表面弾性部９が大きく変形する、いいかえるとＭＤＦ１が表面弾性部９に深く押し込まれると、面取り部１Ｃには幅広く木目模様が印刷される。面取り部１Ｃが表面弾性部９に接触する幅が広くなるからである。転写ローラ４が木口模様を印刷する領域は、図４の一点鎖線で示している。木口プリント工程においては、面取り部１Ｃに木口模様を印刷する幅は、図４に示すように、木口模様と平面模様の一部がラップされてラップ部１２となる幅に調整される。すなわち、面取り部１Ｃにおいては、平面模様と木口模様とが一部ラップする状態で印刷される。
【００２４】
以上の方法は、平面プリント工程の後、木口プリント工程でＭＤＦに木目模様を印刷するが、木口プリント工程の後、平面プリント工程でＭＤＦに木目模様を設けることもできる。ただ、平面プリント工程と木口プリント工程の前後にかかわらず、平面プリント工程の平面模様と、木口プリント工程の木口模様とは、面取り部において、互いに所定の幅でラップするように印刷される。
【００２５】
転写ローラ４には刻版ローラ３が接触して回転される。この刻版ローラ３は、表面に設けている凹部の形状で、ＭＤＦ１の表面に転写する木目模様を特定する。凹部に充填されるインクをＭＤＦ１の表面に転写して模様をつけるからである。したがって、刻版ローラ３の表面には、天然板の木目模様と同じ形状に凹部を設けている。平面プリント工程に使用される刻版ローラ３は、天然板の平面に現れる板目や正目の平面模様を設けている。また、木口プリント工程に使用される刻版ローラ３は、天然板の木口面の模様である木口模様を設けている。
【００２６】
刻版ローラ３の凹部は、インクを濃く転写する部分を深く、インクを薄く転写する部分を浅くして、濃淡のある木目模様を転写する。刻版ローラ３は、天然木の木目模様を表示する形状の凹部を表面に設けているが、刻版ローラの木目模様は、天然板をＭＤＦと同じ形状に加工し、この天然板と同じ平面模様と木口模様とする。
【００２７】
刻版ローラ３は、平面模様や木口模様の木目模様を実現する凹部を表面に設けている。この刻版ローラ３は金属ローラで、平滑に仕上げられた表面を腐食させて凹部を木目模様と同じように設け、あるいは表面を刃物で切削して凹部で木目模様を設けることができる。
【００２８】
インク供給部２は、刻版ローラ３の凹部にインクを供給する。図１の装置のインク供給部２は、刻版ローラ３の表面に接触して回転される供給ローラ６と、この供給ローラ６の一部に接触させるインクを蓄えるインクタンク７とを備える。このインク供給部２は、供給ローラ６を回転させてインクタンク７のインクを刻版ローラ３の凹部に供給する。図１に示すように、供給ローラ６が回転すると、インクが供給ローラ６の表面に付着する。刻版ローラ３と供給ローラ６は表面を接触させて互いに逆方向に回転している。供給ローラ６の表面に付着したインクは、刻版ローラ３に転写される。刻版ローラ３と供給ローラ６は互いに接触して回転しているので、余分なインク、いいかえると凹部以外の部分に付着するインクは、供給ローラ６を通過するときに除去される。したがって、供給ローラ６を通過した刻版ローラ３の表面には凹部にのみインクが供給される。
【００２９】
刻版ローラの凹部にインクを供給するインク供給部の構造は、図１に示すものに特定しない。インク供給部は、刻版ローラの凹部にインクを供給できる全ての機構とすることができる。図２のインク供給部２は、刻版ローラ３の表面に接触して表面に付着するインクを掻き落とす掻取ブレード８と、刻版ローラ３の一部に接触させるインクを蓄えるインクタンク７とを備える。このインク供給部２は、刻版ローラ３をインクに接触する位置で回転させて、インクタンク７のインクを刻版ローラ３の表面に付着させる。刻版ローラ３の表面に付着するインクは、掻取ブレード８で掻き取られる。刻版ローラ３の凹部に供給されるインクは、掻取ブレード８で掻き取られないので、凹部にのみインクが供給される。
【００３０】
転写ローラ４は、回転軸１０の表面にゴム状弾性体１１を固定して、表面弾性部９を設けている。ゴム状弾性体１１の表面弾性部９は、ＭＤＦ１を表面に押し付けて弾性変形する可撓性を有する。表面弾性部９を柔軟にして、面取り部１Ｃに幅広く木目模様を転写できる。ただ、表面弾性部９が柔らか過ぎると、綺麗に安定して模様を転写するのが難しくなるので、表面弾性部９のゴム状弾性体１１は、ＭＤＦの押圧力と、転写する面積と、安定して綺麗に模様を転写できることを考慮して最適な硬度のものが選択される。
【００３１】
転写ローラ４は、回転機構（図示せず）で回転されて、ＭＤＦ１の表面に沿って移動する。回転機構は、転写ローラ４の回転軸１０に連結しているモーターである。ただし、回転機構は、転写ローラを直接に回転させることなく、刻版ローラを介して転写ローラを回転することもできる。この装置は、モーターで刻版ローラを回転させて、刻版ローラに接触させた転写ローラを回転させる。ただし、転写装置は、好ましくは、供給ローラと刻版ローラと転写ローラとを、互いに接触する部分がスリップしない速度で回転させる。
【００３２】
以上の転写装置は、以下の工程で、ＭＤＦの表面に木目模様を転写する。ＭＤＦは、以下の工程で表面にインクが付着されて模様が転写される。ただ、(1)と(2)の工程は同時に連続して行われてＭＤＦの表面に模様が付着される。
【００３３】
(1)  転写装置は、供給ローラ６と刻版ローラ３と転写ローラ４をスリップしないように同期して回転させる。供給ローラ６は、インクタンク７のインクを表面に付着して、これを刻版ローラ３の凹部に供給する。刻版ローラ３の凹部に供給されたインクは、刻版ローラ３の凹部から転写ローラ４の表面に転写される。
(2)  転写ローラ４の表面にＭＤＦ１を押し付けて、あるいは、ＭＤＦ１の表面で転写ローラ４を回転させて、転写ローラ４の表面を弾性変形させる状態で、転写ローラ４をＭＤＦ１に押し付けて回転させる。この状態で、転写ローラ４の表面に付着しているインクはＭＤＦ１の表面に転写される。
【００３４】
以上の転写装置と方法は、刻版ローラ３と転写ローラ４の表面を接触させる状態で回転させて、刻版ローラ３から転写ローラ４に直接にインクを転写しているが、刻版ローラと転写ローラとの間に、１本または複数本の中間ローラを設け、中間ローラと刻版ローラと転写ローラを接触させる状態で回転し、中間ローラを介して刻版ローラのインクを転写ローラに転写することもできる。
【００３５】
その後、エンボス工程において、木目模様を印刷しているＭＤＦ１の表面を局部的に押圧して、木目模様を印刷している下地塗料とＭＤＦ１に木目の凹凸模様を設ける。ただし、エンボス工程は、木目模様を印刷するプリント工程の前工程とすることもできる。この方法は、木目模様を印刷していない下地塗料とＭＤＦ１にエンボス工程で木目の凹凸模様を設け、木目の凹凸を設けた下地塗料の表面に、次ぎのプリント工程で木目模様を印刷する。
【００３６】
最後の上塗工程は、プリント工程で木目模様が印刷され、エンボス工程で木目の凹凸模様が設けられたＭＤＦ１の表面に、透明ないし半透明の仕上げ塗料を塗布する。上塗工程は、ロールコーターで第１仕上げ塗料を塗布する第１上塗工程と、第１上塗工程で塗布された第１仕上げ塗料の表面に、紫外線硬化塗料を塗布する第２上塗工程とで、仕上げ塗料を塗布する。
【実施例１】
【００３７】
以下の工程で、机の上に載せる本棚の側板を製造する。
［裁断工程］
所定の厚さのＭＤＦ１を所定の外形に切断する。ＭＤＦ１は、平面１Ａと木口面１Ｂとの境界を所定の曲率半径で湾曲するように面取りして面取り部１Ｃとする。ＭＤＦ１の木口面１Ｂは、図４に示すように、中央凸の湾曲面に加工することができる。ただ、木口面は平面とすることもできる。
【００３８】
［下塗工程］
(1)  第１下塗工程
最初に、第１下塗工程として、ロールコーター機でもって、サンディングシーラーを塗布する。
(2)  第２下塗工程
サンディングシーラーを硬化させた後、第２下塗工程として、紫外線硬化塗料を塗布する。この紫外線硬化塗料は、紫外線を照射して硬化させる。紫外線硬化塗料を硬化させた後、ブラシサンダー機で表面を研磨する。
(3)  第３下塗工程
その後、最後に第３下塗工程として、フローローター機でもってベースカラー塗料を厚く塗布して、下地をほぼ完全に隠蔽して、ＭＤＦの表面を淡い茶色に着色する。
(4)  ベースカラー塗料を硬化させた後、さらにその表面に紫外線硬化塗料を塗布し、これに紫外線を照射して硬化させる。紫外線硬化塗料が硬化した後、ワイドサンダーで表面を研磨する。
【００３９】
［プリント工程］
(1)  平面プリント工程
図１に示すように、コンベア５でＭＤＦ１を移送し、その上面に転写ローラ４を押圧して、ＭＤＦ１の平面１Ａに平面模様を印刷する。印刷された平面模様を乾燥させた後、ＭＤＦ１を上下反転してコンベア５で移送して、他の平面１Ａに平面模様を印刷する。この平面プリント工程で、図４に示すように、平面１Ａに隣接する面取り部１Ｃの片側部にも平面模様を印刷する。
【００４０】
(2)  木口プリント工程
木口面１Ｂに模様が異なる２種の木目模様、すなわち第１と第２の木口模様を印刷する。天然板外周の木口面１Ｂにできる木目模様は、木目に交差する木口面１Ｂの木目模様と、木目に平行な木口面１Ｂにできる木目模様とが異なる。木目に交差する木口面１Ｂの木目模様は木目を切断する模様となり、木口に平行な木口面１Ｂの模様は木目が表面に沿って伸びる形状となる。第１の木目模様を木目に交差する模様とし、第２の木目模様は木目に平行な模様として、より天然板に近い木目模様にできる。第１と第２の木口模様は、平面模様に一致して木口面１Ｂに設けられる。
【００４１】
木口模様の印刷に先だって、第２の木口模様を印刷する領域の全体、あるいは第２の木口模様を印刷する領域であって、第１の木口模様を第１する領域との境界部分にマスキングテープを付着する。
【００４２】
平面１Ａに平面模様を印刷したＭＤＦ１を手で持ち、第１の木口模様を印刷する木口面１Ｂを回転している転写ローラ４に押し付け、転写ローラ４に沿って木口面１Ｂを移動させてＭＤＦ１の木口面１Ｂに第１の木口模様を印刷する。その後、マスキングテープを剥離して、第１の木口模様を乾燥させる。その後、第２の木口模様を印刷する木口面１Ｂを、回転している転写ローラ４に押し付けて、転写ローラ４に沿って木口面１Ｂを移動させてＭＤＦ１の残りの木口面１Ｂに第２の木口模様を印刷する。第２の木口模様は、その境界で第１の木口模様にラップさせて、隙間ができないように、第１と第２の木目模様を連続させる。
【００４３】
この木口プリント工程においては、木口面１Ｂに隣接する面取り部１Ｃにも木口模様を印刷する。面取り部１Ｃに印刷される木口模様は、図４に示すように、先に平面プリント工程で平面１Ａに印刷された平面模様に一部ラップされてラップ部１２となる。すなわち、平面模様と木口模様とが面取り部１Ｃでラップされ、平面模様と木口模様との間に印刷されない領域を設けることなく、平面模様と木口模様とが印刷される。所定の曲率半径で湾曲する面取り部１Ｃの中間に沿って、平面模様と木口模様をラップして印刷することにより、平面模様と木口模様の境界を、自然木の木目模様と区別できない美しい模様として、天然板に独得の高品質な木目模様にできる。このラップ部１２は、幅を狭くして、平面模様と木口模様との境界部分を美しい外観に仕上げることができる。
【００４４】
［エンボス工程］
木目模様を印刷する塗料を乾燥させた後、下地塗料とＭＤＦに木目の凹凸模様を設ける。この工程は、木目模様を形成する無数の凸部を表面に設けているエンボスローラーを、ＭＤＦの表面に押し付けて、木目模様の凹凸、正確には木目模様の凹部を設ける。エンボスローラーは、ＭＤＦの表面を押圧する状態で転動して、ＭＤＦの表面に木目模様の凹部を設ける。
【００４５】
［上塗工程］
木目模様が印刷され、さらに木目模様の凹凸が設けせれたＭＤＦの表面に、仕上げ塗料を塗布する。仕上げ塗料は、ロールコーター機で透明の塗料が塗布される第１上塗工程と、この上に紫外線硬化塗料を塗布する第２上塗工程とで下地塗料の表面に塗布される。第１上塗工程においては、ウレタン系あるいはポリエステル系、あるいはアクリル系の塗料が塗布される。この塗料を硬化させた後、ウレタン系の紫外線硬化塗料が塗布される。
【００４６】
以上の工程で、立体的な凹凸と木目柄からなる綺麗な木目模様を平面と木口面に設けている、本棚の側板に使用する木目板が製造される。
【実施例２】
【００４７】
ＭＤＦの片面に平面模様を印刷すると共に、エンボス工程を省略する以外、実施例１と同様にして、机の天板を製造すると、天然板と見分けができない高品質な木目模様の木目板を製造できる。
【図面の簡単な説明】
【００４８】
【図１】本発明の一実施例にかかる木目板の製造方法に使用する転写装置の一例を示す概略構成図である。
【図２】本発明の一実施例にかかる木目板の製造方法に使用する転写装置の他の一例を示す概略構成図である。
【図３】本発明の一実施例にかかる木目板の製造方法に使用する転写装置の他の一例を示す概略構成図である。
【図４】ＭＤＦの拡大断面図である。
【符号の説明】
【００４９】
１…ＭＤＦ                １Ａ…平面
１Ｂ…木口面
１Ｃ…面取り部
２…インク供給部
３…刻版ローラ
４…転写ローラ
５…コンベア
６…供給ローラ
７…インクタンク
８…掻取ブレード
９…表面弾性部
１０…回転軸
１１…ゴム状弾性体
１２…ラップ部
【図１】
2007111859.tif 000003
【図２】
2007111859.tif 000004
【図３】
2007111859.tif 000005
【図４】
2007111859.tif 000006